Podtech/llm-jp-corpus-v4-ja_patent huggingface dataset:
(57)【要約】【課題】使用者の身体の比較的広い範囲を温め続けるのに適した電気懐炉を提供する。【解決手段】本考案に係る電気懐炉１０は、電源コード１２を介して電力が供給されると発熱する発熱体と、発熱体を取り囲む外装体１１とを備えている。外装体１１は、可撓性を有する素材からなる表面側外装シート１１ａおよび裏面側外装シート１１ｂの縁部を電源コード１２の引出口を除いて縫い合わせたものである。裏面側外装シート１１ｂの少なくとも一部には、面ファスナーを構成するフック部１３が設けられている。【選択図】図２
0003233732.tif 000002
【実用新案登録請求の範囲】
【請求項１】
電源コードを介して電力が供給されると発熱する発熱体と、前記発熱体を取り囲む外装体とを備えた電気懐炉であって、
前記外装体は、可撓性を有する素材からなる表面側外装シートおよび裏面側外装シートの縁部を前記電源コードの引出口を除いて縫い合わせたものであり、
前記裏面側外装シートの少なくとも一部に、面ファスナーを構成するフック部またはループ部が設けられている
ことを特徴とする電気懐炉。
【請求項２】
前記発熱体は、電熱線ヒーターである
ことを特徴とする請求項１に記載の電気懐炉。
【請求項３】
前記表面側外装シートおよび前記裏面側外装シートの平面視形状が、長手方向の中央をくびれさせた長方形状である
ことを特徴とする請求項１または２に記載の電気懐炉。
【考案の詳細な説明】
【技術分野】
【０００１】
本考案は、電源コードを介して供給される電力により発熱する電気懐炉に関する。
【背景技術】
【０００２】
従来、様々なタイプの電気懐炉が知られているが、市場でよく見かけるのは、特許文献１に記載されているような、丸みを帯びた筐体に発熱体とバッテリーとを内蔵したタイプの電気懐炉である。
【先行技術文献】
【特許文献】
【０００３】
【特許文献１】実用新案登録第３１６５２０６号公報
【考案の概要】
【考案が解決しようとする課題】
【０００４】
上述の一般的な電気懐炉は、手指を温めるのには適しているが、背中のような身体の比較的広い範囲を温め続けるのには適していない。
【０００５】
本考案は、上記事情に鑑みてなされたものであって、使用者の身体の比較的広い範囲を温め続けるのに適した電気懐炉を提供することを課題とする。
【課題を解決するための手段】
【０００６】
上記課題を解決するために、本考案に係る電気懐炉は、電源コードを介して電力が供給されると発熱する発熱体と、発熱体を取り囲む外装体とを備えたものであって、外装体が、可撓性を有する素材からなる表面側外装シートおよび裏面側外装シートの縁部を電源コードの引出口を除いて縫い合わせたものであり、裏面側外装シートの少なくとも一部に、面ファスナーを構成するフック部またはループ部が設けられている、との構成を有している。
【０００７】
発熱体の一例は、電熱線ヒーターである。
【０００８】
また、表面側外装シートおよび裏面側外装シートの平面視形状の一例は、長手方向の中央をくびれさせた長方形状である。
【考案の効果】
【０００９】
本考案によれば、使用者の身体の比較的広い範囲を温め続けるのに適した電気懐炉を提供することができる。
【図面の簡単な説明】
【００１０】
【図１】本考案の実施例に係る電気懐炉を表面側から見た図である。
【図２】本考案の実施例に係る電気懐炉を裏面側から見た図である。
【考案を実施するための形態】
【００１１】
以下、添付図面を参照しながら、本考案に係る電気懐炉の実施例について説明する。
【００１２】
［実施例］
本考案の実施例に係る電気懐炉１０は、図１および図２に示すように、不図示の発熱体と、これを取り囲む外装体１１と、電源コード１２とを備えている。発熱体は、電源コードを介して供給される直流電力で発熱する電熱線ヒーターで構成されている。
【００１３】
外装体１１は、可撓性を有する素材からなる表面側外装シート１１ａおよび裏面側外装シート１１ｂで構成されている。外装体１１は、発熱体（電熱線ヒーター）を挟み込むように表面側外装シート１１ａおよび裏面側外装シート１１ｂを重ね合わせ、表面側外装シート１１ａおよび裏面側外装シート１１ｂの縁部を電源コード１２の引出口を除いて縫い合わせることにより形成したものである。
【００１４】
表面側外装シート１１ａおよび裏面側外装シート１１ｂは、それぞれ、長手方向の中央をくびれさせた長方形状を有している。表面側外装シート１１ａおよび裏面側外装シート１１ｂは、長手方向の寸法が約４３ｃｍであり、短手方向の寸法が約２８ｃｍである。
【００１５】
表面側外装シート１１ａおよび裏面側外装シート１１ｂを構成する素材は、同一であってもよいし、異なっていてもよい。図１および図２の比較から明らかなように、本実施例では、表面側外装シート１１ａにのみ見栄えをよくするための加工が施されている。
【００１６】
電源コード１２は、使用時に、モバイルバッテリー等の直流電源に接続される。電源コード１２の先端は、ＵＳＢ端子等であってもよい。
【００１７】
本実施例に係る電気懐炉１０は、面ファスナーを構成するフック部１３をさらに備えている。図２に示すように、フック部１３は、円形状を有し、裏面側外装シート１１ｂの四隅に各１つ設けられている。
【００１８】
本実施例に係る電気懐炉１０は、例えば、防寒着等のアウターの内側、または下着等のインナーの外側に取り付けて使用される。
【００１９】
アウターの内側に取り付ける場合は、アウターの内側の暖めたい身体の部位に対応した位置に面ファスナーを構成するループ部を設ければよい。こうすることで、フック部１３を利用して電気懐炉１０を容易に取り付けることができる。位置ずれが生じないので、長期にわたって使用者の身体の特定の部位を温め続けることもできる。なお、アウターにループ部を設ける際に両面テープを利用すれば、取り付け位置の変更、すなわち、暖める部位の変更が容易となる。
【００２０】
インナーの外側に取り付ける場合は、インナーの外側にループ部を設けておけばよい。
【００２１】
［変形例］
以上、本考案に係る電気懐炉の実施例について説明してきたが、本考案の構成はこれに限定されない。
【００２２】
例えば、発熱体は、電源コードを介して供給される電力により発熱する任意の部材であってもよい。
【００２３】
本考案に係る電気懐炉は、フック部の代わりにループ部を備えていてもよい。この場合は、アウターの内側またはインナーの外側にフック部を設けることになる。
【００２４】
フック部（ループ部）の数、形状、寸法および配置は、適宜変更することができる。
【００２５】
外装体（表面側外装シートおよび裏面側外装シート）の形状および寸法も、暖めたい部位の形状および寸法に応じて、適宜変更することができる。
【符号の説明】
【００２６】
１０    電気懐炉
１１    外装体
１１ａ    表面側外装シート
１１ｂ    裏面側外装シート
１２    電源コード
１３    フック部（面ファスナー）
【図１】
0003233732.tif 000003
【図２】
0003233732.tif 000004
(57)【要約】      （修正有）【課題】余人を介さず自力で排便できる排便処理器セットを提供する。【解決手段】排便処理器セットは、付属の温水用ポリタンク１と逆止弁付き手押しポンプ３と、Ｕ字形の水切り部９を設け温水取入れ側をジャバラとし反対側の先端部を噴水ノズル７とした挿入パイプ８と、挿入パイプ用にへこました溝と、開口部及び便の飛散防止用リングパイプを設けた座面に、保温クッションを備えた台座とを有する。【選択図】図１
0003233735.tif 000002
【実用新案登録請求の範囲】
【請求項１】
排便処理器セットは、温水用タンクより逆止弁付き手押しポンプで温水を、片側をジャバラとし先端部を噴水ノズルとした挿入パイプへ送り、直腸内部を洗浄する、なお挿入パイプにはＵ字形の水切り部を設ける、それから装備する補助具として挿入パイプ用にへこました溝と開口部及び便の飛散防止用リングパイプを有する台座に、保温クションを乗せたものを洋便器又はバケツの上に設置し、これに腰かけ用をたすことを特徴とする排便処理器セット
【考案の詳細な説明】
【技術分野】
【０００１】便秘・痔・高齢化による排便困難・時に起こる硬化便、これらの症状に何度も力む、力んでも々出ない恐怖と痛みで為すすべ無し助けを呼ぶことになる、この現状を改善せんとする考案であります。
【背景技術】
【０００２】家庭においても介護施設等においても、対応する術なく指を使って掻きだしたり細長いスプーンでほじくり出したりしてこれに当たっている現状であります、切羽詰まった状態であり羞恥心も問えない、之に対し自分で排便処理できる器具の考案であります。
【先行技術文献】
【特許文献】
【考案の概要】
【０００３】
【非特許文献】
【０００４】
【考案が解決しようとする課題】
【０００５】便秘症の方においても何日も腸内にとどまり固化した便はスルスルとは直腸を通過しない、又痔の方にとっては肛門通過時の強い痛みで力むこともままならない、出血覚悟で力むにしても切れ口からのばい菌の侵入による恐怖はぬぐえない、高齢化による排便困難これも多くの老人の方が体験される長時間に及ぶつらい苦痛、やっと出た黒豆大の一粒の便これの繰り返し、体力の消耗もひどく辛い排便である、余人を介さず自力で排便できる排便器具の提供であります。
【課題を解決するための手段】
【０００６】直腸を含め下腹部の緊張、これを和らげ下腹部のぜん動運動が柔軟になる対策として、直腸内に温水を注入することによりポカポカ感を感じさせスムーズな動きが出来るよう図る、第２に先端に温水を噴出させる穴をあけた注入ノズルを肛門より差し入れ、直腸頂部に向け押し込んで行く、同時に逆止弁の付いた手押しポンプで温水を調節しながら噴出させ、固化した便を液状化し洗い流す事により直腸のつまりを解消する、なお装備する補助具として温水用ポリタンク・逆止弁付き手押しポンプ・ノズルの付いた挿入パイプ・保温クッション付き台座をワンセットとする考案であります。
【考案の効果】
【０００７】便秘の人においては、腹部に滞留している便すべてを排便出来なくても直腸におりてきた分をその都度排便出来、長時間に及ぶ苦痛と不安から解放され快適な人生を取り戻せ、痔持ちの方の場合も直腸内の洗浄も出来清潔な状態となる安心感を得る人生となり、他の排便障害の方においても暖房したトイレは皆無に近い、冬場での長時間の苦痛からの解放特に直腸内の温水洗浄は朗報である。
【図面の簡単な説明】
【０００８】
【図１】  排便処理器の構成図
【図２】  台座側面図・平面図
【図３】  台座断面図（パイプ用溝部）
【図４】  台座断面外観図
【考案を実施するための形態】
【０００９】排便処理器の構成図［図１］に示しますように、洋便器又はバケツ上に台座を載せその上に保温クッション置き排便体制を取った後、足元の操作し易い位置に補助具一式（温水入りポリタンク・手押しポンプ・挿入パイプ）を置き、腰かけた状態で肛門に挿入パイプを片方の手で押し込んでいく、もう片方の手で手押しポンプを操作し噴出する温水で便を液状化し押し流す、之を繰り返し直腸内を空にせんとするものであります。
【実施例】
【００１０】ポリタンクは扱い易い５リットル程度とし、手押しポンプは家庭用灯油ポンプを採用する、挿入パイプは手元部分に蛇腹を設け自在に扱えるようにし材質もシリコン樹脂等柔軟性のあるものとし先端は穴をあけ噴水ノズルとする、そして台座には挿入パイプ用のへこました溝と開口部を設置し、液状化した便が飛散しないようリングパイプを設ける、挿入パイプにも液状便を切るためのＵ字型の水切部を設ける。
【符号の説明】
【００１１】１  温水用ポリンク            ８  挿入パイプ
２  取っ手                    ９  水切り部
３  手押しポンプ            １０  保温クッション
４  蛇腹部分                １１  台座
５  逆止弁                  １２  リングパイプ
６  注ぎ口                  １３  開口
７  噴水ノズル              １４  パイプ用溝
【図１】
0003233735.tif 000003
【図２】
0003233735.tif 000004
【図３】
0003233735.tif 000005
【図４】
0003233735.tif 000006
【手続補正書】
【提出日】令和3年5月6日(2021.5.6)
【手続補正１】
【補正対象書類名】実用新案登録請求の範囲
【補正対象項目名】全文
【補正方法】変更
【補正の内容】
【実用新案登録請求の範囲】
【請求項１】
排便処理器セットは、付属の温水用ポリタンクと逆止弁付き手押しポンプと、Ｕ字形の水切り部を設け温水取入れ側をジャバラとし反対側の先端部を噴水ノズルとした挿入パイプと、挿入パイプ用にへこました溝と、開口部及び便の飛散防止用リングパイプを設けた座面に、保温クッションを備えた台座とを有することを特徴とする排便処理器セット。
(57)【要約】      （修正有）【課題】ニコチン依存症の治療と再発予防における禁煙たばこを提供する。【解決手段】禁煙たばこは、吸い口にフィルター５を付けた紙巻タバコとし、副作用として頭痛・吐き気及びこの両方の症状を共に発現する３種類の医薬品を、添加剤として個別に入れたタバコで、容器は透明なフィルムでケースを包み二重の包装とし、且つ製造においては医師又は薬剤師の方の指導を受け、販売においては国の認可を受ける。【選択図】図２
0003233737.tif 000002
【実用新案登録請求の範囲】
【請求項１】
禁煙たばこ：ニコマイルドは、吸い口にフィルターを付けた紙巻タバコとし、副作用として頭痛・吐き気及びこの両方の症状を共に発現する、３種類の医薬品を添加剤として個別に入れたタバコで容器はトーメイなフィルムでケースを包み二重の包装とし、且つ製造においては医師又は薬剤師の方の指導を受け、販売においては国の認可を受ける事を特徴とする、禁煙たばこ：ニコマイルド。
【考案の詳細な説明】
【技術分野】
【０００１】ニコチン依存症、この病的中毒の専門治療と再発予防に欠く事の出来ない、新たな装備品であるタバコに関するものであります。
【背景技術】
【０００２】ニコチン依存症の治療と再発予防において、禁煙によるニコチンの血中濃度の低下により起こる、不安・不快感・イライラなどの離脱症状に加え、喫煙による満足感・覚醒感・リラックス感等精神的な依存により再発を繰り返す状況であります。
【先行技術文献】
【特許文献】
【０００３】
【非特許文献】
【０００４】
【考案の概要】
【考案が解決しようとする課題】
【０００５】ニコチン中毒の人は、ニコチン依存度が強いほど離脱症状も強く喫煙による精神的欲求が抑えられなく再発を繰り返してしまう、こういったニコチン依存症を無くそうとするものであります。
【課題を解決するための手段】
【０００６】本考案は、フィルター付き紙巻タバコ１本を基本とし、添加材としてＡ・Ｂ・Ｃの３種類の薬剤を個別に入れた３種類のタバコとして提供するものであります。（好みに応じ選択）
0003233737.tif 000003
【考案の効果】
【０００７】ニコマイルド（Ａ・Ｂ・Ｃ）はニコチン中毒の人、移行途中の人、その前の段階の人、このタバコの好きな人達は皆心情的な禁煙が感情的な欲求に押し切られ、みじめな敗北感を味わう日々と思います。
このタバコは、カバンに机に日々忍ばせておく事によりいつでも吸える状態にすることで、イライラ感がなくなり精神的に安定出来るニコマイルドは通常のタバコであり口あたりは変えず、満足出来るものとし、１本位から添加材の効果を感じ始め最後まで吸えない状態になるよう添加材の割合を特定する、又これは医師あるいは薬剤師の方の指導を受けるとともに、販売においては国の認可を受ける、これにより欲求にかられ吸えば吸うほど、混入した添加材の副作用により、体の拒絶反応が強くなり最終的にニコチン依存症から救われる結果となる。（体の条件反射の利用）
【図面の簡単な説明】
【０００８】
【図１】禁煙たばこ：エコマイルドの外観図
【図２】フィルター付紙巻タバコ１本の外観図
【考案を実施するための形態】
【０００９】エコマイルドの外観図［図１］に示しますように、タバコを収納するケースはフィルムとで二重包装とし、内部のタバコは［図２］に示しますように紙巻タバコとし、吸い口にフィルターを取り付ける。
【実施例】
【００１０】タバコを収納するケースは内部のタバコが、水分や湿気で変質しにくいよう吸水性の少ないフィルムで覆う形をとり、タバコ自体は吸い口のフィルターで異物を吸い込まなくし、巻紙部分の細断したタバコの葉に添加剤を混入するものとする。
【符号の説明】
【００１１】１  保護フィルム付きケース
２  取り出し口
３  保護フィルム切口
４  巻き紙
５  フィルター
【図１】
0003233737.tif 000004
【図２】
0003233737.tif 000005
【手続補正書】
【提出日】令和3年5月28日(2021.5.28)
【手続補正１】
【補正対象書類名】実用新案登録請求の範囲
【補正対象項目名】全文
【補正方法】変更
【補正の内容】
【実用新案登録請求の範囲】
【請求項１】
禁煙たばこ：名称ニコマイルドは、吸い口にフィルターを付けた紙巻タバコとし、副作用として頭痛・吐き気及びこの両方の症状を共に発現する３種類の医薬品を、添加剤として個別に入れたタバコで、容器は透明なフィルムでケースを包み二重の包装とし、且つ製造においては医師又は薬剤師の方の指導を受け、販売においては国の認可を受ける事を特徴とする、禁煙たばこ：名称ニコマイルド。
(57)【要約】      （修正有）【課題】路面清掃の作業を効率的かつ安全に行うことができる送風機を提供する。【解決手段】送風機は、長尺の支持ロッド１後端に動力機構２を持ち、支持ロッド１内の回転駆動軸を介して、先端に装着した送風ファン３を回転させる構造を持ち、支持ロッド１中間部より後ろ寄りに設けた肩掛けバンドと手持ちハンドル４により保持して、送風ファン３を対象物に向ける。【選択図】図１
0003233738.tif 000002
【実用新案登録請求の範囲】
【請求項１】
長尺の支持ロッド１の後端に動力機構２を持ち、支持ロッド１内の回転駆動軸を介して、先端に装着した送風ファン３を回転させる構造を持ち、前記支持ロッド中間部より後ろ寄りに設けた肩掛けバンドと手持ちハンドル４により保持して、前記送風ファンを対象物に向けることを特徴とする送風機。
【請求項２】
上記送風ファンの背面側に空気穴を持った保護用ケーシング構造５を持った請求項１の送風機。
【請求項３】
上記、支持ロッド１と上記保護用ケーシング構造５は、支持ロッドの外径に沿った、概ね３０センチ程度の半円筒形の接続材６を用いて、接続される請求項２の送風機。
【考案の詳細な説明】
【技術分野】
【０００１】    本発明は、道路上の清掃等に利用する送風機に関する。
【背景技術】
【０００２】  道路上の清掃処理や草刈り後の片づけなどの際には、一般的に竹箒が使用されている。一部、乗用の清掃機なども用いられている。【０００３】  ゴミや刈り取った後の草を集めるために、背負うタイプやハンディタイプのブロアも利用されている。【０００４】    また一部の道路管理においては、乗用の清掃機も用いられている
【先行技術文献】
【０００３】
【特許文献１】実全昭６３−００５０１７
【非特許文献】京セラインダストリアルツールズ株式会社製造  形式ＢＬ−３５００  カタログ
【考案の概要】
【考案が解決しようとする課題】
【０００４】  一般的な清掃に利用される竹箒では、一人で清掃できる範囲も限られ、また竹箒を保持し、掃くという動きは、清掃を担う中高年の人間には、体力的にも辛い作業である。
上記、先行技術文献には、背負いタイプおよびハンディタイプのブロアを示している。背負いタイプは、パワーはあるが、重くまた高価であるという欠点がある。またハンディタイプは、手軽に利用できるが、パワーがなく、竹箒よりも時間がかかってしまう場合がある。
【課題を解決するための手段】
【０００５】  本発明に係る送風機は、長尺の支持ロッド１後端に動力機構２を持ち、支持ロッド１内の回転駆動軸を介して、先端に装着した送風ファン３を回転させる構造を持ち、前記支持ロッド中間部より後ろ寄りに設けた手持ちハンドル４により保持して、前記送風ファンを対象物に向けることを特徴とする。【０００６】  また作業者の安全のために送風ファン３の背面に空気穴を持った保護用ケーシング構造５を持っている。【０００７】    上記、支持ロッド１と上記保護用ケーシング構造５は、支持ロッドの外径に沿った、長軸方向に概ね３０センチ程度の半円筒形の接続材６を用いて、接続される。
【考案の効果】
【０００８】  本発明においては、現在、竹箒やブロアを利用して行っている路面清掃の作業を効率的かつ安全に行うことができるようになる。
【図面の簡単な説明】
【０００９】
【図１】本発明に係る送風機の全体図である。
【図２】接続材構造図である。
【図３】使用形態を示す参考図である。上から送風ファン３。保護用ケーシング構造５。全体を示す図。となる。
【考案を実施するための形態】
【実施例】
【００１０】  図１に示す本発明に係る送風機は、類似の構造を持つ草刈り機を応用したものであり、一般的な草刈り機の刃にあたる部分に送風ファン３を設け、送風ファンの背面に保護用ケーシング構造５を設けたものである。支持ロッドと保護用ケーシング構造は、ボルト２本で止められる接続材６で接続されている。【００１１】  今回の保護用ケーシング構造は、平金を用いているが、これが網状部材となっても同様の効果が期待できる。【００１２】  また接続材６は、支持ロッド１と保護用ケーシング構造５との接続部材であり、ボルトでの固定の他に溶接や溶着、接着剤での固定の等の方法が考えられる。
【符号の説明】
【００１３】    １  支持ロッド
２  動力機構
３  送風ファン
４  手持ちハンドル
５  保護用ケーシング構造
【図１】
0003233738.tif 000003
【図２】
0003233738.tif 000004
【図３】
0003233738.tif 000005
(57)【要約】      （修正有）【課題】高所に塗装作業を行うための長柄のローラー刷毛の取り回しがなくなり、作業効率が向上するとともに狭小空間での作業がしやすくなるローラー刷毛取付け具を提供する。【解決手段】塗料等をその外周に付けて塗装面上を転がして塗布するローラー刷毛５において、ローラー刷毛を取付ける部材としてのローラー刷毛取付け具６を経由して、ローラー刷毛外周に、塗料等容器７からハンドポンプ１により、塗料等を送る送液管２を有する。【選択図】図１
0003233736.tif 000002
【実用新案登録請求の範囲】
【請求項１】
塗料等液体を供給する送液機を有するローラー刷毛取付け具。
【考案の詳細な説明】
【技術分野】
【０００１】  本考案は塗料等を塗装するためのローラー刷毛の取付け具に関するものである。
【背景技術】
【０００２】  一般に足場を組まずに建物外壁等高所にペンキ等塗料を塗装するには、長柄のローラー刷毛取付け具を用いる。この際、刷毛に塗料を付けるには、その都度、長柄の先端のローラー刷毛を高所から手元近くの塗料容器まで引下げなければならない。手間と時間を要し、また、作業空間が狭い場合には長柄の引き回しに手間取り、塗料の滴下も多くなる。
【考案の開示】
【考案が解決しようとする課題】
【０００３】  高所にある長柄の先端のローラー刷毛に随時その位置にペンキ等塗料を供給する。
【課題を解決するための手段】
【０００４】  ローラー刷毛取付け具の長柄の手元に送液ポンプを取付け、塗料容器から吸い上げた塗料を長柄に沿ってローラー刷毛まで送る。
【考案の効果】
【０００５】  ローラー刷毛を高所に保ったまま随時塗料を供給できるので長柄の引き回しも無くなり作業効率が向上するとともに狭小空間での作業がしやすくなる。また、塗料の滴下も防げる。
【考案を実施するための最良の形態】
【０００６】  送液ポンプとしては塗料容器側に小型電動ポンプを置き手元に電源スイッチを設ける方法、あるいはハンドポンプも多種あるが軽便さや操作性の良さから軸流型である球形のハンドポンプを使用する。
【実施例】
【０００７】  以下、添付図面に従って実施例を説明する。ローラー刷毛取付け具６の長柄の手元の部分に送液ハンドポンプ１を取り付ける。Ａは吸込み口、Ｂは吐出口である。注液口３を先端に有する送液チューブ（吐出側）２を吐出口Ｂに接続する。注液口３はローラー刷毛５に塗料を供給するのに都合の良い位置に調整、位置決めする。一方、吸込み口Ａには他端を塗料容器７の塗料に浸漬した送液チューブ（吸込み側）４を接続する。【０００８】  塗装面にローラー刷毛５を保持した状態で長柄を持つ下側の手で、ローラー刷毛取付け具６の柄に付いている送液ハンドポンプ１を握ったり離したりのポンピング動作を行う。塗料は送液チューブ（吸込み側）４、送液チューブ（吐出側）２を通して注液口３からローラー刷毛５に供給される。ローラー刷毛５を塗装面上を転がすことにより塗料は塗装面と同時にローラー刷毛全面に広がる。
【図面の簡単な説明】
【０００９】
【図１】  ローラー刷毛を用いて高所に塗装作業を行う形態を示す。
【符号の説明】
【００１０】  １    送液ハンドポンプ
２    送液チューブ（吐出側）
３    注液口
４    送液チューブ（吸込み側）
５    ローラー刷毛
６    ローラー刷毛取付け具
７    塗料容器
Ａ    吸込み口
Ｂ    吐出口
【図１】
0003233736.tif 000003
【手続補正書】
【提出日】令和3年5月19日(2021.5.19)
【手続補正１】
【補正対象書類名】実用新案登録請求の範囲
【補正対象項目名】全文
【補正方法】変更
【補正の内容】
【実用新案登録請求の範囲】
【請求項１】
塗料等をその外周に付けて塗装面上を転がして塗布するローラー刷毛において、ローラー刷毛を取付ける部材としてのローラー刷毛取付け具を経由してローラー刷毛外周に、塗料等容器からハンドポンプ等により、塗料等を送る送液管を有することを特徴とするローラー刷毛取付け具。
(57)【要約】      （修正有）【課題】抗菌性を有するとともに、耳掛けのない使い捨てアイマスクであって、使い勝手の良いアイマスクを提供する。【解決手段】使用時に両目を覆うアイマスク１は横方向が長い長方形の布製のアイマスク本体１０と、アイマスク本体の顔面に接する裏面の両サイドに貼設される一対の帯状の粘着帯２０と、からなり、アイマスク本体は竹を原料とした竹繊維の不織布であり、その表面は黒色に近い低明度の彩色が施されている、構成とした。【選択図】図１
0003233761.tif 000002
【実用新案登録請求の範囲】
【請求項１】
使用時に両目を覆うアイマスクは横方向が長い長方形のアイマスク本体と、該アイマスク本体の顔面に接する裏面の両サイドに貼設される一対の帯状の粘着帯と、からなり、
前記アイマスク本体は竹を原料とした竹繊維の不織布であり、その表面は黒色に近い低明度の彩色が施されている、ことを特徴とする抗菌性を有するアイマスク。
【考案の詳細な説明】
【技術分野】
【０００１】
本考案は飛行機内や列車内などで使用する抗菌性のある使い捨てのアイマスクに関する。
【背景技術】
【０００２】
アイマスクは、特に明るい場所で睡眠をとりやすくするために、目を覆って光をさえぎるために用いる場合が多く、飛行機内や列車内などで使用するケースが多い。このアイマスクに関する考案が例えば、特許文献１に開示されている。
【０００３】
特許文献１に開示の考案は、考案の名称「耳カバー付きアイマスク」に係り、「耳掛け用ゴム紐を収容可能な耳カバー付きアイマスクを提供する。」ことを課題としていて、その解決手段を「矩形状タオル生地の所定長さの両端部が折り返され重ね合わされて其々の折返し片が縫合されることにより形成された耳カバー部と、左右両側の耳カバー部の間に形成された目隠し部と、折返し片の先端部近傍に縫い付けられた左右一対の耳掛け用ゴム紐と、を備えている。耳掛け用ゴム紐を耳カバー部の内部に収容するための収容口が、折返し片の離間 する縫合部間の非縫合部により形成されている。」構成としている。
【０００４】
一方で、出願人は竹繊維が有する抗菌性に着目して、鋭意、開発を進めてきた。その成 果は、特許文献２に開示されていて、当文献には竹繊維ガーゼの製造方法が開示されている。また、特許文献２の段落〔００１０〕ないし〔００１２〕には「殺菌竹繊維ガーゼ」が抗菌性の効果を有することが示されており、さらに出願人は、この「殺菌竹繊維ガーゼ」は「吸湿性」、「保湿性」および「制電性」を有する知見を得ている。
【０００５】
ところが、昨今のコロナ禍にあっては、マスクの着用が常態化していて長時間着用する傾向にある。マスクを長時間着用することは、耳の付け根にマスクの紐の圧力が長時間かかっている状態となって、そのため、耳の付け根や耳周辺が痛くなることが生ずる。また、新型コロナウイルスの飛沫感染は目の粘膜を通しても起こり得ると言われている。
【０００６】
しかしながら、特許文献１に開示の考案に係るアイマスクは、殺菌作用がなく新型コロナウイルスの飛沫感染に対しては有効に防止することができないばかりでなく、左右一対の耳掛け用ゴム紐を耳に掛けることにより、さらに耳の付け根や耳周辺に痛みが生ずるおそれがある。
【先行技術文献】
【特許文献】
【０００７】
【特許文献１】実用新案登録第３１８６０３０号公報
【特許文献２】特開２００６−０４３３７０号公報
【考案の概要】
【考案が解決しようとする課題】
【０００８】
そこで、本考案は、抗菌性を有するとともに、耳掛けのない使い捨てアイマスクを提供することを課題とする。
【課題を解決するための手段】
【０００９】
上記課題を達成するために、本願請求項１に係る抗菌性を有するアイマスクは、使用時に両目を覆うアイマスクであって、横方向が長い長方形のアイマスク本体と、該アイマスク本体の顔面に接する裏面の両サイドに貼設される一対の帯状の粘着帯と、からなり、前記アイマスク本体は竹を原料とした竹繊維の不織布であり、その表面は黒色に近い低明度の彩色が施されている、ことを特徴としている。
【考案の効果】
【００１０】
（１）本考案に係るアイマスクは、長方形のアイマスク本体と、その両サイドに貼設される１対の帯状の粘着帯と、から構成されているので、経済的で携帯に便利であり、使い捨ててもプラスチックごみに該当しない。なお、本明細書においては、アイマスクを着用したときに顔面に接する側をマスクの裏面としている。
（２）アイマスク本体が竹繊維の不織布なので、竹繊維の本来の効果である「抗菌性」のほか、「吸湿性」、「保湿性」および「制電性」が発揮されてウイルス感染（侵入）を防止するばかりでなく、皮膚のはれ、かぶれ、かゆみ等の皮膚異常が生じない。
（３）アイマスク本体の表面は黒色に近い低明度の彩色が施されているため、遮光効果が生じて使用時には外部の光の眩しさが軽減される。
【図面の簡単な説明】
【００１１】
【図１】図１は、実施例に係るアイマスクの裏面図である。
【考案を実施するための形態】
【００１２】
本発明を実施するための形態に係る実施例について、図１を参照して説明する。なお、図１において、符号１は実施例に係るアイマスク、符号１０はアイマスク本体、符号２０は粘着帯、である。
【００１３】
アイマスク１はアイマスク本体１０とアイマスク本体１０の両サイドに形成された一対の粘着帯２０から構成されている。そして、アイマスク本体１０は横の長さが２００ｍｍ、縦の長さが９０ｍｍの長方形であり、粘着帯２０の幅は１５ｍｍでアイマスク本体１０の縦方向に形成されている。
【００１４】
アイマスク本体１０は竹を原料とした竹繊維の１枚の不織布を使用していて、その表面は濃緑色に採色されている。また、粘着帯２０は両面粘着テープを粘着して形成されるが、アクリル系粘着剤を使用することにより、皮膚のはれ、かぶれ、かゆみ等が生じない。
【００１５】
ここで、アイマスク１の使用例について説明する。
一対の粘着帯２０の剥離紙をはがし、粘着帯２０のそれぞれを目尻の外側に粘着させる。これによりアイマスク１は顔面の所定の位置に固定される。
使用後はアイマスク本体１０を引きはがすことで、アイマスク１を外すことができる。そのため、アイマスク１の着脱は極めて容易であり使い勝手が良い。
【図１】
0003233761.tif 000003
(57)【要約】      （修正有）【課題】いままでの平面状の敷布団のシーツでは、中央の一部だけが傷むため、形状を改良し、シーツの本体の形状を円筒状にして、くるくると回転させることで人の寝るシーツの位置を変えられることが特徴の円筒状の布団のシーツを提供する。【解決手段】敷布団のシーツにおいて、シーツの本体１の形状を円筒状にして、縦縞がわかるように、人が寝る部分のシーツ３、敷きなおしたとき、人が寝る部分のシーツ４を設け、円筒状に縫製し、人が寝る部分のシーツ、敷きなおしたとき、人が寝る部分のシーツの部分に、シーツの位置を変えられることを特徴とする。【選択図】図１
0003233741.tif 000002
【実用新案登録請求の範囲】
【請求項１】
敷布団（２）のシーツにおいて、シーツの本体（１）の形状を円筒状にして、縦縞がわかるように、人が寝る部分のシーツ（３）、敷きなおしたとき、人が寝る部分のシーツ（４）を設け、円筒状に縫製し、人が寝る部分のシーツ（３）、敷きなおしたとき、人が寝る部分のシーツ（４）の部分に、たとえば、着色してもいい。
本考案は、以上の構成よりなる円筒状の布団のシーツ。
【考案の詳細な説明】
【技術分野】
【０００１】  本考案は、いままでの平面状の敷布団のシーツの形状を改良し、シーツの本体の形状を円筒状にして、くるくると回転させることで人の寝るシーツの位置を変えられることが特徴の円筒状の布団のシーツに関するものである。
【背景技術】
【０００２】  従来、布団のシーツを使うときは、布団の上に平面状のシーツ１枚を敷く、という方法であった。
【考案の概要】
【考案が解決しようとする課題】
【０００３】  これは、次のような欠点があった。
人が布団のシーツ１枚を敷き、寝るとき、人の位置は平面状のシーツの中央の、いつも、ほぼ、同じ所を使っていた。
その結果、シーツの一部分だけが傷み、変色していた。
ところが、他の部分は、比較的良い状態を保っていた。
本考案は、以上のような欠点をなくすために考えたものである。
【課題を解決するための手段】
【０００４】  敷布団（２）のシーツにおいて、シーツの本体（１）の形状を円筒状にして、縦縞がわかるように、人が寝る部分のシーツ（３）、敷きなおしたとき、人が寝る部分のシーツ（４）を設け、円筒状に縫製し、人が寝る部分のシーツ（３）、敷きなおしたとき、人が寝る部分のシーツ（４）の部分に、たとえば、着色してもいい。
本考案は、以上の構成よりなる円筒状の布団のシーツである。
【考案の効果】
【０００５】  敷布団（２）の上に、本考案の円筒状のシーツの本体（１）を敷き、敷布団（２）を敷くたびにシーツの本体（１）がくるくるまわせるので、人が寝るときに体が当たる部分を簡単に変えることができる。
シーツは、人が使う位置を自由に変えることができるので、シーツが長持ちする。
本考案は、シーツを円筒状にしたことで、シーツの中央部分（３）もしくは（４）と場所が移動することで、傷む場所を分散できる。
シーツを円筒状にして、くるくると回転させることで、人の寝るシーツの位置を変えられる。
【図面の簡単な説明】
【０００６】
【図１】  本考案の斜視図である。
【図２】  本考案の実施例を示した斜視図である。
【考案を実施するための形態】
【０００７】  以下、本考案の実施するための形態について説明する。
敷布団（２）のシーツにおいて、シーツの本体（１）の形状を円筒状にして、縦縞がわかるように、人が寝る部分のシーツ（３）、敷きなおしたとき、人が寝る部分のシーツ（４）を設け、円筒状に縫製し、人が寝る部分のシーツ（３）、敷きなおしたとき、人が寝る部分のシーツ（４）の部分に、たとえば、着色してもいい。
布団をくるめる程度の大きさで短辺部分を開けた円筒状の形態である。
本考案は、以上のような構造である。
本考案を使用するときは、敷布団（２）を円筒状のシーツの本体（１）に入れるだけである。
なお、縦縞になるように、人が寝る部分のシーツ（３）、敷きなおしたとき、人が寝る部分のシーツ（４）にぐるりと色を着ければ敷くたびに色が変わり、人が使って、寝る位置が変わることがわかりやすい。
【符号の説明】
【０００８】    １  シーツの本体
２  敷布団
３  人が寝る部分のシーツ
４  敷きなおしたとき、人が寝る部分のシーツ
【図１】
0003233741.tif 000003
【図２】
0003233741.tif 000004
(57)【要約】      （修正有）【課題】自動車内でマスクを外した際に邪魔にならず、安定的に保持される、自動車内でのマスクの一時収納に用いる、自動車ピラー用マスク保持具を提供する。【解決手段】プラスチック樹脂（ポリプロピレン、ＡＢＳ等、抗菌機能を有すると尚良い）により成型され、接着部（両面テープ等）でピラーに固定され、マスク保持の構成については、本体下部から伸びた保持部により本体と保持部の間に形成された隙間にマスクを差し込む事でマスクが固定される構造を特徴とし、本体と保持部が一体成型されて樹脂の弾力のみで固定される方式および、本体と保持部を別部品としバネ構造ではさまれる。【選択図】図１
0003233760.tif 000002
【実用新案登録請求の範囲】
【請求項１】
マスクを固定する構造を有するピラー
【請求項２】
自動車のピラーに、マスクを固定する構造を有するマスク保持具
【請求項３】
自動車のピラーに、本体に形成された隙間にマスクを差し込む事でマスクを固定する構造を有するマスク保持具
【請求項４】
自動車のピラーに、本体に設けられた接着部で張り付けて固定される構造と、本体に形成された隙間にマスクを差し込む事でマスクを固定する構造を有するマスク保持具
【考案の詳細な説明】
【技術分野】
【０００１】
本考案はマスク保持具に関するものである。
【背景技術】
【０００２】
自動車内でのマスクの一時収納において、マスクを吊るす方式の収納方法は公知になっており、関連する商品も存在しますが、吊るす方式は運転中の車内では不安定であり揺れて気が散る。
【考案の概要】
【考案が解決しようとする課題】
【０００３】
自動車内でのマスクの一時収納
【課題を解決するための手段】
【０００４】
自動車のピラーに、本体に設けられた接着部で張り付けて固定される構造と、本体に形成された隙間にマスクを差し込む事でマスクを固定する構造を有するマスク保持具を提供する。
【考案の効果】
【０００５】
自動車内で邪魔にならず、マスクの厚みと本体の弾力で挟み込まれる為、安定的に保持される。
【図面の簡単な説明】
【０００６】
【図１】図１は本考案の斜視図である。
【図２】図２は本考案の裏側から見た斜視図である。
【図３】図３は本考案の正面図である。
【図４】図４は本考案の側面図である。
【図５】図５は本考案をピラーに設置した状態を示す図である。
【図６】図６は本考案にマスクを設置した状態を示す図である。
【考案を実施するための形態】
【０００７】
図５で示す通り、自動車のピラーに（１）本体に設けられた（４）接着部で張り付ける事で本体を固定する。
【実施例１】
【０００８】
図６で示す通り、（１）本体と（２）保持部の間に形成された（３）隙間にマスクを挿み込む。
【符号の説明】
【０００９】
（１）本体
（２）保持部
（３）隙間
（４）接着部
【図１】
0003233760.tif 000003
【図２】
0003233760.tif 000004
【図３】
0003233760.tif 000005
【図４】
0003233760.tif 000006
【図５】
0003233760.tif 000007
【図６】
0003233760.tif 000008
(57)【要約】      （修正有）【課題】農業用ハウス内の補助暖房設備としての熱量の供給不足が明らかになり、更なる燃焼効率を向上した自然燃焼式廃油焼却装置を提供する。【解決手段】燃焼室１の上面中央開口に立設される燃焼筒２の周面に、燃焼筒吸気孔１１、１１ａを縦方向に定間隔置きに穿設された孔列を複数列配置し、その各々の燃焼筒吸気孔の穿設口の断面を菱形状に改良することと、燃焼室の上面前部に空気導入量の調整が可能な２穴連動式吸気口６、６ａが配置されているが、左側に位置する吸気口の開口面積が右側に位置する吸気口の開口面積より大きく開口するように設計された連動式吸気装置を備えること。【選択図】図１
0003233804.tif 000002
【実用新案登録請求の範囲】
【請求項１】
自然燃焼式廃油焼却装置における燃焼室の上面中央開口から立ち上がる燃焼筒の周面に縦方向に多数のエア吸気口が穿設されているが、この穿設の断面を菱形とすることを特徴とする自然燃焼式廃油焼却装置
【請求項２】
前記焼却室の上面前部に位置する２穴連動式吸気口について、これを作動する際に、左右の吸気口の開口面積に大小の差が生ずるようにしたことを特徴とする自然燃焼式廃油焼却装置
【考案の詳細な説明】
【技術の分野】
【０００１】  廃油の焼却装置に関する
【背景技術】
【０００２】  廃油を燃焼させる際に、不完全燃焼による黒煙や有害物質が発生しやすいので、その発生を防止するための廃油焼却装置が先行開発されてはいるが、今もって、廃油の完全燃焼化には種々の課題が残されている。
【先行技術文献】
【０００３】
【特許文献１】特許第５１０９２０４号
【特許文献２】実用新案登録第３１５６１３７号
【特許文献３】実用新案登録第３２３０７４６号
【考案の概要】
【０００４】  本考案の自然燃焼式廃油焼却装置によって廃油の完全燃焼をさせるために、給気機構の焼却室の上面に位置する燃焼筒の周面にエア吸気口が縦方向に穿設されているが、この穿設口の断面の改良と、焼却室の上面前部に位置する２穴連動式吸気口の左右の開口面積に大小の差を設ける事により、廃油の完全燃焼が促進される。
【考案が解決しようとする課題】
【０００５】  ［先行技術文献］［０００３］［特許文献３］実用新案登録第３２３０７４６号の実用機において、農業用ハウス内の補助暖房設備としての熱量の供給不足が明らかになり、本機の更なる燃焼効率の向上が課題となった。
【課題を解決するための手段】
【０００６】  燃焼室の上面中央開口に立設される燃焼筒の周面に、エア吸入口を縦方向に定間隔置きに穿設された孔列を複数列配置し、その各々の給水口の穿設口の断面を菱形状に改良する。【０００７】  燃焼室の上面前部に空気導入量の調整が可能な２穴連動式吸気口が配置されているが、左側に位置する吸気口の開口面積が右側に位置する吸気口の開口面積より大きく開口するように、あらかじめ設計された連動式吸気装置を備える。
【考案の効果】
【０００８】  燃焼筒の周面に穿設された多数の吸入口断面を菱形状にすることで、各吸入口からの空気の流入の形状が尖鋭化して火勢が強まり燃焼筒内の廃油の燃焼ガスの完全燃焼化が促進される。【０００９】  燃焼室の上面前部に位置する２穴連動式吸気口を作動する際に、あらかじめ左側開口部のエア吸入面積が右側開口部よりも大きくなるように設計し、このことによって、左側開口部からのエア吸入量が、右側開口部よりも多く流入し、燃焼室内に右回転の燃焼気流を生じさせ、廃油の完全燃焼化に効果的に作用する。
【図面の簡単な説明】
【００１０】
【図１】本考案の焼却装置の参考斜視図である。
【図２】燃焼室上面の前部に位置する２穴連動式吸気口を示す参考平面図
【図３】２穴連動式吸気口の使用状態を示す参考平面図で、左側吸気口６が右側吸気口６ａより開口部が大きくなることを示す１２と、右側吸気口６ａの開口部が小さくなることを示す１３の図である。
【考案を実施するための形態】
【００１１】  本考案を実施するための形態について、添付図面により説明する。本考案に係る自然燃焼式廃油焼却装置の実施形態は、燃焼室１の上面中央開口から立ち上がる燃焼筒２と、燃焼筒２の上に設置されている還流室３と、燃焼室１とを連通する支持柱兼用還流パイプ９，９ａおよび燃焼筒密着型還流パイプ１０，１０ａの装着と、還流室３に設置される加熱流体送り出し室４と排気筒５とから成る。図１は本考案の実施形態を示す焼却装置の参考斜視図である。
【００１２】  燃焼室１の上面中央開口から立ち上がる燃焼筒２の周面に、エア吸入口を縦方向に定間隔置きに菱形に穿設された孔列１１，１１ａ他が配置される。
【００１３】  燃焼室１の上面前部に位置する２穴連動式吸気口６，６ａが使用状態を示す１２，１３となり、左側開口部１２のエア吸入面積を右側開口部１３よりも大きくなるように設計された２穴連動式吸気口を備
【実施例】
【００１４】  農業高校の農業ハウス（８ｍ×３０ｍ）において、実用試験を実施し、本考案の請求項１および請求項２について、改良を加えたことにより良好な結果を得ることができた。
［実施校］酪農学園大学付属ときわ森三愛高等学校
［実施日］令和  ２年１０月
【産業上の利用可能性】
【００１５】  本考案に係る装置は、いずれの実施形態においても何の動力も要せずに、自然力によって完全燃焼を図ることができ、装置そのものがコンパクトで構成簡易であるので低価格で生産できることと、植物性廃油や鉱物性廃油を燃料とするので燃料コストもかからないことから、小工場や一般家庭における廃油焼却装置として、また、農業用ハウス内における補助暖房設備として、あるいは、災害時における緊急設備等に利用されるのに好適であり、今後、脱炭素社会の時代に向けて、本装置は、産業上有望である。
【符号の説明】
【００１６】１、  燃焼室
２、  燃焼筒
３、  還流室
４、  加熱液体送り出し室
５、  排気筒
６、  ２穴連動式吸気口
６ａ、２穴連動式吸気口
７、  燃焼室点検及び掃除用開閉蓋
８、  脚
８ａ、脚
９、  支持柱兼用還流パイプ
９ａ、支持柱兼用還流パイプ
１０、燃焼筒密着型還流パイプ
１０ａ、燃焼筒密着型還流パイプ
１１、燃焼筒吸気孔
１１ａ、燃焼筒吸気孔
１２、２穴連動式吸気口の左側の閉口部
１３、２穴連動式吸気口の右側の開口部
【図１】
0003233804.tif 000003
【図２】
0003233804.tif 000004
【図３】
0003233804.tif 000005
(57)【要約】      （修正有）【課題】一般消費者による購入及び使用が可能なように小型化された衣類用アクセサリー取付装置を提供する。【解決手段】筐体１を含み、筐体上にプレスロッド２を往復させる孔１２を設け、プレスロッドの底部にプレスブロック３を設け、筐体上にはプレスブロックに対応する位置にプレスブロックと嵌合する受圧ブロック４を設け、プレスロッドの周方向に凹溝を設け、筐体と回転嵌合する回転ロッド８を設け、回転ロッドの一端には凹溝に適合する突起ブロック１１を設け、前記孔に突起ブロックを伸入させる切欠き１３を設けたことを特徴とする。【選択図】図１
0003233801.tif 000002
【実用新案登録請求の範囲】
【請求項１】
筐体を含み、筐体上にプレスロッドを往復させる孔を設け、プレスロッドの底部にプレスブロックを設け、筐体上にはプレスブロックに対応する位置にプレスブロックと嵌合する受圧ブロックを設け、プレスロッドの周方向に凹溝を設け、筐体と回転嵌合する回転ロッドを設け、回転ロッドの一端には凹溝に適合する突起ブロックを設け、前記孔に突起ブロックを伸入させる切欠きを設けたことを特徴とし衣類にアクセサリー取付をする、手動パールセッティングマシン。
【考案の詳細な説明】
【技術分野】
【０００１】  この考案は、衣類へのアクセサリーの取付を容易かつ経済的に安価な方法でおこなうことを可能とする衣類用アクセサリー取付装置に関するものである。
【背景技術】
【０００２】  衣類業界においては、衣類やバッグ等の製品にアクセサリーやパールなどの宝石を取り付けて装飾することが行われている。
しかし、このようなアクセサリー取付装置はほとんどが大型装置であり、一般消費者が容易に使用することができるものではなかった。
そのため、一般消費者が任意のアクセサリーを衣類に取り付けようとする場合、ピンなどを使用してアクセサリーを取り付ける必要があるが、これでは安定性に欠ける上に、ピンの取り外し等の際に怪我をする危険があるという問題があった。
【考案の概要】
【考案が解決しようとする課題】
【０００３】  本考案は上記のような問題点を解決するためになされたもので、一般消費者による購入及び使用が可能なように小型化された衣類用アクセサリー取付装置である。
【課題を解決するための手段】
【０００４】  筐体を含み、筐体上にプレスロッドを往復させる孔が設けられ、プレスロッドの底部にプレスブロックが設けられ、筐体上にはプレスブロックに対応する位置にプレスブロックと嵌合する受圧ブロックが設けられ、プレスロッドの周方向に凹溝が設けられ、筐体と回転嵌合する回転ロッドをさらに含み、回転ロッドの一端には凹溝に適合する突起ブロックが設けられ、前記孔に突起ブロックを伸入させる切欠きが設けられ、受圧ブロックとプレスブロックはプレスロッドの下方運動によって互いに接近し、かつ、突起ブロックと凹溝の嵌合によって圧接を実現するものである。
【考案の効果】
【０００５】  以上のように、本考案は一般消費者による購入及び使用が可能なように小型化された衣類用アクセサリー取付装置である。これにより一般消費者が安価かつ安全に、任意のアクセサリーを任意の衣類等に取り付けることが可能となる。
【図面の簡単な説明】
【０００６】
【図１】  本考案の断面図である。
【考案を実施するための形態】
【０００７】  突起ブロック部分にアクセサリーを、受圧ブロック部分に金具をそれぞれ装着し、その間に衣類を置く。昇降レバーを下げてアクセサリー、衣類、金具が密着した状態にしたうえで、作動レバーを引くと、プレスロッドが下方運動し、受圧ブロックとプレスブロックはプレスロッドの下方運動によって互いに接近し、かつ、突起ブロックと凹溝の嵌合によって、衣類を挟んでアクセサリーと金具とを圧接させることで、衣類へのアクセサリーの装着を実現することができる。
【符号の説明】
【０００８】１    筐体
２    プレスロッド
３    プレスブロック
４    受圧ブロック
５    作動レバー
６    アクセサリー
７    金具
８    回転ロッド
９    昇降レバー
１０  昇降バネ
１１  突起ブロック
１２  孔
１３  切欠き
【図１】
0003233801.tif 000003
(57)【要約】      （修正有）【課題】適正な希釈で洗髪する為の希釈ボトルを提供する。【解決手段】洗髪用希釈ボトルであり、洗髪効果を適正に発揮させる為の希釈量をイラストと計量線で示してあり、適正量で洗髪する為に、希釈ボトルに、自分の髪の毛の長さに合わせて適正な量の洗髪液を投入し、シャンプーの原液を入れて十分に希釈し、洗髪を行う。【選択図】図３
0003233805.tif 000002
【実用新案登録請求の範囲】
【請求項１】
人用の洗髪に用途限定した希釈ボトルにおいて、段階（ショート、ミディアム、ロングなど）に応じた適正な希釈の希釈量を数値限定することを特徴としたボトル。
【考案の詳細な説明】
【技術分野】
【０００１】    本考案は、洗髪する時に適正な希釈の希釈量を計量するボトルである。
【背景技術】
【０００２】    洗髪は、髪の毛や頭皮等を清潔にする事と認識されている。ただ、この認識をさらに効果的にするには、正しい適正な希釈の希釈量にて洗髪する事必要になる。現状では適正な希釈量等の配合を認識するには非常に困難な状況である。そこで適正な希釈の希釈量を計量するボトルを考案しさらに効果を発揮させる為に考案した経緯である。
【考案の概要】
【考案が解決しようとする課題】
【０００３】    本考案は適正量にて洗髪を補助する事を目的としているものである。
【課題を解決するための手段】
【０００４】    そこで洗髪効果を適正に発揮させる為に、適正量を計りやすいようにイラストと希釈の希釈量を計量線で示し、洗髪液の効果を発揮させて洗髪を行うようにした。
【考案の効果】
【０００５】  何気なく使用している洗髪液ですが、本来のその商品が持っている効果が十分に発揮されていない状況である。適正な配合等で洗髪を行わなければ、効能・効果が発揮されないばかりでなく、頭皮に与えるダメージは図りしれないものである。
そこで本考案は、適正な洗髪を補助する事で、本来の洗髪効果を発揮し、頭皮等に与える影響を軽減する効果がある。
【図面の簡単な説明】
【０００６】
【図１】シャンプーを髪の長さい合わせて希釈するボトルを示す図である。
【図２】希釈したシャンプー液を出すボトルトふたを示めす図である。
【図３】希釈したシャンプー液を髪の長さに合わせる事を知らせる目印の図である。
【考案を実施するための形態】
【０００７】  シャンプーボトルに髪の長さに合わせて希釈する水を入れた後ボトルにシャンプーの原液を入れる。
先に原液を入れて水を入れると泡が立ちすぎてしまうと適正な希釈ができない為。
【実施例】
【０００８】  以下、添付図に従って―実施例を説明する。［図１］ボトルに洗髪原液を投入する。このボトルの特徴は正面・背面・右図・左図から計量線を認識できる。適正な髪の長さの計量線まで洗髪液を投入し、希釈し充分に混ぜたらボトルのスポイト部分になっているところを上げたら充分プレリンスした頭皮に直接シャンプー液をかける事で無駄なく髪の毛に馴染ませる事ができ泡立ちもよく洗髪が行える。
【符号の説明】
【０００９】１  希釈量線
【図１】
0003233805.tif 000003
【図２】
0003233805.tif 000004
【図３】
0003233805.tif 000005